(57)【特許請求の範囲】
【請求項１】
樋支持具本体(1) を取付杆(11)にスライド自在に取付けるべく、樋支持具本体(1) の長孔(9) に挿通した連結体(13)により両者が連結されてなる樋支持具に於いて、長孔(9) の長手方向の内側面に多数の凹凸部(10)が対面して形成されると共に、樋支持具本体(1) の裏面側に配されるレバー(15)が長孔(9) の幅方向に沿って連結体(13)にスライド自在に設けられてなり、しかも該レバー(15)にはそのスライド操作により前記長孔(9) の凹部(10b) に係入し得る弾性変形可能な係入片(17)が設けられてなることを特徴とする樋支持具。
【請求項２】
前記係入片(17)が長孔(9) の凹部(10b) に係入される頂部を有して略逆Ｖ字状に形成されてなる請求項１記載の樋支持具。
【請求項３】
前記係入片(17)が長孔(9) のいずれか二つの凹部(10b) に係入し得るように一対形成されてなる請求項１又は２記載の樋支持具。
【発明の詳細な説明】
【０００１】
【発明の属する技術分野】
本発明は樋支持具、さらに詳しくは建造物等の軒先樋を支持するための樋支持具であって、軒うら等に固定される取付杆に樋支持具本体がスライド自在に設けられた樋支持具の改良に関する。
【０００２】
【従来の技術】
従来、この種樋支持具としては、例えば図３に示すようなものが存在する。
即ち、この従来のものは樋支持具本体1aと取付杆11ａとからなり、樋支持具本体1aを取付杆11ａにスライド自在に取付けるべく取付杆11ａの一端側長手方向に長孔9aを形成し、この長孔9aと樋支持具本体1aの孔に挿通したボルト20に蝶ナット21を螺合締着して、樋支持具本体1aを所望位置に固定し得るようにしたものである。
【０００３】
【発明が解決しようとする課題】
しかしながら、上記従来のものは、ボルト20と蝶ナット21との螺合締着を樋支持具本体1aの固定手段とするものであるために、その固定作業が極めて煩雑となり、よって高所での一連の作業が安全に行えないという致命的な問題点を有していた。
【０００４】
また、上記樋支持具を長期間使用した場合、雨水等により前記ボルト20や蝶ナット21の各ネジ部に錆等の腐食が生じるという難点があり、再度樋支持具本体1aを移動調整することは極めて困難であった。
【０００５】
さらに、ボルト20及び蝶ナット21に弛みが生ずると、樋支持具本体1aが樋の自重も手伝って不用意に下方へスライドする結果、樋にがたつきを生ぜしめるという大なる不都合も有していたのである。
【０００６】
それ故に、本発明は上記従来の問題点を解決するためになされたものであり、簡易なレバー操作により樋支持具本体を取付杆の所望位置に確実且つ強固に位置決め固定できるようにすることを課題とする。
【０００７】
【課題を解決するための手段】
即ち、上記課題を解決するために本発明が採った手段は、樋支持具本体１を取付杆11にスライド自在に取付けるべく、樋支持具本体１の長孔９に挿通した連結体13により両者が連結されてなる樋支持具に於いて、長孔９の長手方向の内側面に多数の凹凸部10が対面して形成されると共に、樋支持具本体１の裏面側に配されるレバー15が長孔９の幅方向に沿って連結体13にスライド自在に設けられてなり、しかも該レバー15にはそのスライド操作により前記長孔９の凹部10ｂに係入し得る弾性変形可能な係入片17が設けられてなる点にある。
【０００８】
従って、上記発明特定事項からなる樋支持具に於いては、先ず樋支持具本体１を所望位置にスライドさせ、この状態でレバー15を樋支持具本体１側にスライド移動せしめると、その係入片17が樋支持具本体１の長孔９の凹部10ｂに係入されて、該樋支持具本体１が取付杆11に固定されることになる。
【０００９】
一方、レバー15を逆方向にスライド移動させれば、前記係入片17と凹部10ｂとの係入状態が解除されるため、再度樋支持具本体１をスライドさせてその位置調整を行うことができる。
【００１０】
【発明の実施の形態】
以下、本発明の一実施形態について図面に従って説明する。
【００１１】
図１に於いて、１は両側縁に上向きの折曲側片２，２を対面形成した樋支持具本体を示し、その一端には支持すべき樋３の凹状部3aに係入可能な係入片４が上向きに形成されると共に、他端には樋３の耳部3bに嵌合可能な耳保持部５が略コの字状に折曲形成されてなり、該耳保持部５の先端には延設片６が斜め下方に設けられている。
【００１２】
７は前記係入片４の折曲部に傾斜状に設けられたリブを示す。８は支持具本体１の他端側裏面に前記耳保持部５に対向して設けられたバネ板からなる弾性片であり、その先端は上向きに折曲されている。
【００１３】
９は樋支持具本体１の中央に長手方向に沿って穿設された長孔で、その内周面には複数の凹凸部10が対面形成されている。
【００１４】
11は一端部に板状の取付部材12が取付けられた帯状の取付杆を示す。13は樋支持具本体１の長孔９と取付杆11の他端部に穿設した孔14に挿通されたリベット等からなる連結体を示す。
【００１５】
15は図２のように連結体13がスライド自在に挿通される長孔16を有して樋支持具本体１の裏面側に配されるスライド片15ａと、その一端部に折曲形成された把持片15ｂとからなるレバーで、スライド片15ａの両側には弾性変形可能な略逆Ｖ字状の係入片17が夫々設けられている。
【００１６】
18は樋支持具本体１と取付杆11とが離反するのを防止するために、前記弾性片８と共に樋支持具本体１の他端側裏面にリベット19で固定された略コの字状の離反防止片を示す。
【００１７】
本実施形態は以上のような特定事項からなるが、かかる樋支持具を使用する場合には、先ず樋支持具本体１を取付杆11に対してスライドさせて所望位置に固定する。
【００１８】
即ち、樋支持具本体１を所望位置にスライドさせた後、この状態でレバー15の把持片15ｂを把持して樋支持具本体１側に押し込むと、該樋支持具本体１の裏面により係入片17が押圧力を受けて略平面状に撓んだ状態でスライドし、樋支持具本体１の長孔９に設けた対面する所定の凹部10ｂに各係入片17の頂部が係入することになる。
【００１９】
而して、かかる係入片17の弾性力により押圧された樋支持具本体１と取付杆11とが圧接状態で固定されると共に、係入片17の前記凹部10ｂへの係入によって、樋支持具本体１が確実且つ強固に取付杆11の所望位置に固定されるのである。
【００２０】
そして、樋支持具は取付杆11に設けた取付部材12を介して建造物の鼻隠しや軒うら等に複数固定した後、樋支持具間に樋３が架設状態に取付けられる。
【００２１】
また、レバー15を逆方向に引き出せば、その係入片17が長孔９の凹部10ｂから離脱して、樋支持具本体１と取付杆11の圧接状態は解除されることとなり、樋支持具本体１を再度スライドさせて固定位置を変更、調整することができる。
【００２２】
このように、簡易なレバー17のスライド操作により樋支持具本体１の固定が行えるので、高所での作業も安全且つ効率的に行えるという利点がある。
【００２３】
また、本実施形態に係る樋支持具は全体の特定事項に非常に簡易であるため、その製作も容易に且つ安価に行える利点もある。
【００２４】
尚、上記実施形態に於いては、レバー15の係入片17を頂部を有する略逆Ｖ字状に形成してなるが、かかる係入片17の具体的な形状は、樋支持具本体１の長孔９に設けた凹部10ｂの形状等に応じて変更可能である。
【００２５】
また、本発明は上記実施形態のような所謂内吊り式の樋支持具に限定されるものではなく、例えば樋３の下面を樋支持具本体１で受けて支持する形式の樋支持具にも勿論適用可能である。
【００２６】
その他、樋支持具本体１や取付杆11の形状等の特定事項も本発明の意図する範囲内に於いて任意に設計変更自在である。
【００２７】
【発明の効果】
叙上のように、本発明はレバーのスライドという極めて簡易な操作により、樋支持具本体を取付杆の所望位置に固定できるため、高所での一連の樋取付作業を効率的に且つ安全に行えるという格別の効果を得るに至った。
【００２８】
しかも、樋吊具本体の固定時にはその長孔の凹部にレバーの弾性変形可能な係入片が係入されるために、ボルト，ナットを固定手段とする従来のものに比して、長期に亘り確実且つ強固に固定状態を維持できるという効果も奏する。
【００２９】
さらに、本発明に係る樋支持具は全体の構成が非常に簡易であるため、その製作も容易に且つ安価に行えるという効果がある。
【図面の簡単な説明】
【図１】本発明に係る樋支持具の一実施形態を示し、(イ) は正面図、(ロ) は底面図。
【図２】レバーの一実施形態を示し、(イ) は平面図、(ロ) は正面図、(ハ) は左側面図、(ニ) は右側面図。
【図３】従来例を示す樋支持具の正面図。
【符号の説明】
１…樋支持具本体
９…長孔
10…凹凸部
10ｂ…凹部
11…取付杆
13…連結体
15…レバー
17…係入片
【図１】
0003825867.tif 000002
【図２】
0003825867.tif 000003
【図３】
0003825867.tif 000004